(57)【要約】【課題】  ドライヤー本体から吐風される風を整流する吐風ノズルを備え、ブロー効果の高いヘアドライヤーを提供すること。【解決手段】  吸入口２を有し、ヒータ１０、ファン９及び前記ファンを駆動するモータ８を内蔵したヘアドライヤー本体の吹出口先端に取り付けられる吐出ノズル７において、前記吐出ノズル７内部に吐風通路を前後方向に複数個に区画する仕切壁３０を設け、該仕切壁３０は前記吐風通路の内側に向かって湾曲する複数の隔壁からなり、前記仕切壁３０によって区画される開口面積は、吐出ノズル外側壁と１枚の仕切壁３０によって区画される面積より、複数の仕切壁３０間によって区画される面積を大きく設定し、風の流れの損失が少なく、より高い整流効果が得られる。【選択図】  図２
2009195264.tif 000002
【特許請求の範囲】
【請求項１】
吸入口を有し、ヒータ、ファン及び前記ファンを駆動するモータを内蔵したヘアドライヤー本体の吹出口先端に着脱自在に取り付けられる吐出ノズルにおいて、
前記吐出ノズル内部に吐風通路を前後方向に複数個に区画する仕切壁を設け、前記仕切壁は前記吐出ノズルの内側に向かって湾曲する複数の隔壁からなり、前記仕切壁によって区画される開口面積は、ノズル外側壁と１枚の仕切壁によって区画される面積より、複数の仕切壁間で区画される面積が大きいことを特徴とするヘアドライヤー。
【請求項２】
ヘアドライヤー本体の吹出口にマイナスイオン放出口を設け、該マイナスイオン放出口を前記仕切壁に近接して配置したことを特徴とする請求項１に記載のヘアドライヤー。
【請求項３】
前記仕切壁には整流翼を設けたことを特徴とする請求項１に記載のヘアドライヤー。
【請求項４】
前記整流翼は、複数枚設けられ空気の囲い込み部を形成したことを特徴とする請求項１に記載のヘアドライヤー。
【請求項５】
前記吐出ノズルの内側に吐風口を設け、前記吐風口は対向する大径の曲面壁と該曲面壁同士を繋ぎ吐出ノズルの内側に窪んだ凹設部を設けた複数の小径の曲面壁とで略楕円形状とし、前記大径の曲面壁間に仕切壁を連結したことを特徴とする請求項１に記載のヘアドライヤー。
【請求項６】
前記吐出ノズルの吐風口は対向する大径の曲面壁と該曲面壁同士を繋ぎ吐出ノズルの外側に向かって湾曲する複数の小径の曲面壁とで略楕円形状とし、前記大径の曲面壁間に仕切壁を連結したことを特徴とする請求項１に記載のヘアドライヤー。
【発明の詳細な説明】
【技術分野】
【０００１】
本発明は、ヘアドライヤーに係り、詳しくは、ヘアドライヤーの吹出口先端に取り付けた吐出ノズルの構造に関するもので、毛髪の乾燥、ブローする際により整流効果の得られるヘアドライヤーに関するものである。
【背景技術】
【０００２】
従来、ヘアドライヤーの吐出ノズルにおいては、毛髪を早く乾かすためにノズルの先を絞り風速を早めたものや、ノズルを二重構造などにしてノズル内の開口面積を変化させたものがあった。しかし、単にノズルの先を絞っただけでは、風の勢いは増すが風の流れに抵抗が起こるためばらけた風が吐出され、効率よく吐風することができなかった。また、ノズルを二重構造にするなど、ノズル内の開口面積を変化させても同様にノズル内で風の干渉が生じ、風の流れに損失を与え風速を弱めてしまっていた。
【０００３】
そこで、風速を増加させ、風のエネルギー効率を良くするものとして、下記特許文献１（特許第３５９８９２８号公報）に記載のヘアドライヤーがある。これは、図５に示すように、吐風口５１及び吸入口５２を有するハウジング５３の内部に、ファン５４、モータ５５、整流翼５６及びヒータ５７を具備するヘアドライヤーにおいて、吐風口５１のノズル５８を内側ノズル６０と外側ノズル５９とで構成し、内側ノズル６０に上流側から下流側に向かってノズル中心軸Ｘに対し傾斜する傾斜部６０ｅと傾斜部６０ｅの下流側において断面ノズル中心軸Ｘと略平行に形成された平行部６０ｆとを形成したものであった。
【０００４】
さらに、風速の減衰を抑えて、整流効果を与えるものとして、下記特許文献２（特開２００６−７５１９４号公報）に記載のヘアドライヤーがある。これは、図６に示すように、ヘアドライヤー本体１１の先端に吐出ノズル１６を設け、吐出ノズルの内側に整流羽１６ａを設けて熱風発生室１７を通過した風を整流するもので、吐出ノズル１６の整流羽１６ａは風の吹き出し方向と同軸方向に配列され、熱風発生室１７からの風にひねりを与える形状を有し、また、前記整流羽１６ａは前記熱風発生室１７からの風に前記ファン２０ａの回転軸方向と反対方向のひねりを与える形状に形成したものであった。
【特許文献１】特許第３５９８９２８号公報（段落〔０００５〕〜〔０００７〕、図１）
【特許文献２】特開２００６−７５１９４号公報（段落〔００２８〕〜〔００２９〕、図１）
【発明の開示】
【発明が解決しようとする課題】
【０００５】
しかし、上記特許文献１のノズルにおいては、内側ノズルを設けることにより、内側ノズルより吐風される風の勢いは強くなるが、平板形状で構成されているため、吐風された風を整える十分な整流効果は得られない。また、上記特許文献２のノズルにおいては、整流翼を設けたことにより、ノズルから吐出される風のうち、外側の風は整流されるが、内側の風は、整流翼の影響を受けないため整流効果は得られない欠点があった。
【０００６】
本発明は上記の問題を解決するものであって、ヘアドライヤーの吐出ノズルにおいて、風速の減衰が少なく、整流効果も得られるものを提供することを目的としている。
【課題を解決するための手段】
【０００７】
上記の目的を達成するために、請求項１に係るヘアドライヤーは、吸入口を有し、ヒータ、ファン及び前記ファンを駆動するモータを内蔵したヘアドライヤーの吹出口に取り付けられる吐出ノズルにおいて、前記吐出ノズル内部に吐風通路を前後方向に複数個に区画する仕切壁を設け、該仕切壁は前記吐風通路の内側に向かって湾曲する少なくとも一対の隔壁からなり、前記仕切壁によって区画される開口面積は、ノズル外側壁と１枚の仕切壁によって区画される面積より、複数の仕切壁間で区画される面積が大きいことを特徴とする。
【０００８】
請求項２に係るヘアドライヤーは、請求項１に記載のヘアドライヤーにおいて、吹出口にマイナスイオン放出口を設け、該マイナスイオン放出口を前記仕切壁に近接して配置したことを特徴とする。
【０００９】
請求項３に係るヘアドライヤーは、請求項１に記載のヘアドライヤーにおいて、仕切壁に整流翼を設けたことを特徴とする。
【００１０】
また、請求項４に係るヘアドライヤーは、請求項１に記載のヘアドライヤーにおいて、整流翼は、複数枚設けられ空気の囲い込み部を形成したことを特徴とする。
【００１１】
請求項５に係るヘアドライヤーは、請求項１に記載のヘアドライヤーにおいて、吐出ノズルの内側に吐風口を設け、前記吐風口は対向する大径の曲面壁と該曲面壁同士を繋ぎ吐出ノズルの内側に窪んだ凹設部を設けたことを特徴とする。
【００１２】
請求項６に係るヘアドライヤーは、請求項１に記載のヘアドライヤーにおいて、吐出ノズルの内側に吐風口を設け、前記吐風口は対向する大径の曲面壁と該曲面壁同士を繋ぎ吐出ノズルの外側に向かって湾曲する複数の小径の曲面壁とで略楕円形状とし、前記大径の曲面壁間に仕切壁を連結したことを特徴とする。
【発明の効果】
【００１３】
本発明は上記の構成を備えることにより、以下に示すような優れた効果を奏する。すなわち、請求項１の発明によれば、ヘアドライヤーから吐出される風の吹出口に吐出ノズルを設け、その吐出ノズルの内側に向かって湾曲する仕切壁を設けることによって、吹出口から吐出ノズルに流入した風に気流の変化を起こさせ、吐出ノズルから吐出する風を整流し頭髪の所望箇所に当てることができる。特に仕切壁が内側に湾曲することにより、吐風された風が仕切壁に接する量が多くなるため、整流効果が向上する。
【００１４】
また、吐出ノズルより吐風される風には中心の風の勢いが強く、周りの風の勢いが比較的弱いことから、前記仕切壁により区画される吐出ノズルの開口面積が、１枚の仕切壁と吐出ノズルの内側壁とで区切られる面積より、複数の仕切壁と吐出ノズルの内側壁、または複数の仕切壁間で区切られる面積を大きくすることにより、吐出ノズル中心は強い勢いのまま、まとまった風量を吐出させることができ、まわりの風は仕切壁によって整流されて吐出されるため、中心から吐出される風を、まわりの整流された風によって包むことで、吐風された風がばらけることなくより有効的に風を髪に当てることができる。
【００１５】
請求項２の発明によれば、マイナスイオン放出口を仕切壁の湾曲に沿って配置することで、マイナスイオン放出口から放出されたマイナスイオンが仕切壁によって変化した気流にぶつかり、整流されて吐出ノズルから吐出される風全体に混合させることができる。
【００１６】
また、請求項３の発明によれば、仕切壁に整流翼を設けることにより、仕切壁によってマイナスイオンと混ざった気流が整流されて吐出される。
【００１７】
請求項４の発明によれば、仕切壁の整流翼が複数で空気の囲い込み部を形成することによって、仕切壁によってマイナスイオンとまざった気流が整流翼によりつつみこまれて吐出される。
【００１８】
請求項５の発明によれば、小径の曲面壁に吐風通路側に窪んだ凹設部を設けることにより、吐出ノズルの外側の冷気を引きつけ適度な風温となり、頭皮にやさしい風を吐風することができる。
【００１９】
請求項６の発明によれば、吐出ノズル内側の吐風口を略楕円形状とすることで、吐風される風を絞ることができ勢いの強い風が吐出され、大径の曲面壁間に仕切壁を連結することで、吐出ノズルの中央付近の風もより整流することができる。
【発明を実施するための最良の形態】
【００２０】
以下、図面を参照して本発明の最良の実施形態を説明する。但し、以下に示す実施形態は、本発明の技術思想を具体化するために例示するものであって、特許請求の範囲に含まれるその他の実施形態のものも等しく適応し得るものである。
【実施例１】
【００２１】
図１、図２、図３を用いて本発明の実施例１に係るヘアドライヤーの構成を説明する。なお、図１は、本発明に係るヘアドライヤー本体の断面図である。図２（ａ）は、実施例１に係る吐出ノズルの正面図、（ｂ）は、吐出ノズルの背面図、（ｃ）は、吐出ノズルの斜視図である。図３は、吐出ノズルをヘアドライヤー本体に取り付けたときの正面図である。
【００２２】
図１のヘアドライヤー１は、一端に吸入口２、他端に吹出口３を有する筒状の本体ケース４を有し、この本体ケース４には、吸入口２側の一端に手で握って本体ケース４を支持・操作する把持部５が一体或いは折り畳み自在に取り付けられている。この把持部５は、片手で握れる程度の筒状からなり、内部には切換スイッチ（図示せず）などが装着されており、外側には操作つまみ６を設けてなる。また、本体ケース４の吹出口３には、吐出ノズル７が着脱自在に取り付けられる。本体ケース４、把持部５、吐出ノズル７は、いずれもポリカーボネートやＡＢＳ樹脂等の耐熱性プラスチックスの成型品により形成されている。
【００２３】
本体ケース４の内部には、図１に示すように、ファン９と、該ファン９を駆動するモータ８と、ヒータ１０、マイナスイオン発生器１１、放電電極４１などが配置されている。
【００２４】
前記放電電極４１から生じたマイナスイオンは、吹出口３に設けられているグリル１２に配設された複数のマイナスイオン吐出口４０、４０、４０，４０、４０、４０を中心に吐出される。
【００２５】
前記モータ８、ファン９の動作によって吸入口２から取り込まれた空気はヒータ１０によって温められ、吹出口３で温風となり、吐出されたマイナスイオンと混ざってマイナスイオンを含む温風となり吐出される。
【００２６】
次に吐出ノズル７について、図２(ａ)、(ｂ)、(ｃ)、図３を参照して説明する。
【００２７】
本体ケース４の吹出口に着脱自在に装着される吐出ノズル７は、その背面は取り付けられる本体ケース４に対応して円形に、正面は吹き出す風を絞るように略楕円形状にし、対向し外側に向かって湾曲する大径の曲面壁２０、２０と該曲面壁同士を繋ぎ吐出ノズルの内側に向かって湾曲する複数の小径の曲面壁２１、２１とで形成する。また、前記小径の曲面壁２１、２１には吐風通路側に窪んだ凹設部２２、２２を設ける。
【００２８】
本発明に係るヘアドライヤーの吐出ノズル７は、その内側に吐風口２５、仕切壁３０、３０と整流翼３１、３１，３１、３１を設けており、実施例１では２枚の仕切壁３０、３０を前記吐出ノズル正面の小径の曲面壁２１、２１の凹設部２２、２２と同方向に湾曲し、吐出ノズル７の対向する大径の曲面壁２０、２０間に連結している。前記仕切壁３０、３０により区画される吐出ノズルの開口面積は、１枚の仕切壁３０と吐出ノズルの内側壁とで区切られる面積より、複数の仕切壁３０と吐出ノズルの内側壁、または複数の仕切壁３０間で区切られる面積が大きい。また、前記仕切壁３０、３０は、グリル１２に設けられたマイナスイオン吐出口４０・・，４０・・に沿って形成されており、それぞれ一対の整流翼３１・・，３１・・を設けている。前記整流翼３１・・，３１・・は、仕切壁３０、３０と一体成形され、対向する弧を描いている。
整風板３２、３２は、吐出ノズルの大径の曲面壁２０、２０の内側に突出して設けており、実施例１では、２枚の整風板３２、３２が風の吹き出す方向に沿って形成されている。前記整風板３２、３２は、吐風される風にファンの回転方向とは反対方向のひねりを与える曲線的な形状をしてなる。
【実施例２】
【００２９】
次に図４を用いて本発明の実施例２に係る吐出ノズルの構成を説明する。図４（ａ）は、実施例２に係る吐出ノズルの正面図、（ｂ）は、吐出ノズルの背面図、（ｃ）は、吐出ノズルの斜視図である。
【００３０】
実施例１と同様に、本体ケース４の吹出口に着脱自在に装着される吐出ノズル７は、背面は取り付けられる本体ケース４に対応して円形に、正面は吹き出す風を絞るように略楕円形状にし、対向する大径の曲面壁２０、２０と該曲面壁同士を繋ぐ小径の曲面壁２１、２１とで形成する。
【００３１】
本発明に係るヘアドライヤーの吐出ノズル７は、その内側に仕切壁３０、３０と整流翼３１・・，３１・・を設けており、２枚の仕切壁３０、３０を前記吐出ノズル正面の小径の曲面壁の湾曲方向とは反対の方向に湾曲し、吐出ノズル７の対向する大径の曲面壁間に連結している。前記仕切壁３０、３０により区画される吐出ノズルの開口面積は、１枚の仕切壁３０と吐出ノズルの内側壁とで区切られる面積より、複数の仕切壁３０と吐出ノズルの内側壁、または複数の仕切壁３０間で区切られる面積が大きい。また、前記仕切壁３０、３０は、実施例１と同様にマイナスイオン吐出口４０・・，４０・・に沿って形成されており、それぞれ複数の整流翼３１・・，３１・・を設けている。その仕切壁３０、３０にそれぞれ設けられている複数の整流翼３１・・，３１・・は、仕切壁３０、３０と一体成形され、対向する弧を描いている。
【００３２】
整風板３２、３２は、吐出ノズルの大径の曲面壁２０、２０の内側に突出して設けており、実施例２では、２枚の整風板３２、３２が風の吹き出す方向に沿って形成されている。前記整風板３２、３２は、吐風される風にファンの回転方向とは反対方向のひねりを与える曲線的な形状をしてなる。
【００３３】
このように、仕切壁３０、３０によってマイナスイオンと吐風された空気が混ざり、整流翼３１・・，３１・・によって集束された風と、整風板３２、３２で矯正された風とが吐風されることで、より高い整流効果が得られ、吐出ノズル７から吹き出す風に勢いを与えることができ、毛髪の乾燥に使い勝手のよいヘアドライヤーを提供することができる。
【図面の簡単な説明】
【００３４】
【図１】図１は、本発明に係るヘアドライヤーの実施例の側面断面図である。
【図２】図２（ａ）は、実施例１に係る吐出ノズルの正面図、（ｂ）は、吐出ノズルの背面図、（ｃ）は、吐出ノズルの斜視図である。
【図３】図３は、実施例１に係る吐出ノズルをヘアドライヤー本体に取り付けたときの正面図である。
【図４】図４（ａ）は、実施例２に係る吐出ノズルの正面図、（ｂ）は、吐出ノズルの背面図、（ｃ）は、吐出ノズルの斜視図である。
【図５】図５は従来のヘアドライヤーの構成を示す側面断面図である。
【図６】図６は従来のヘアドライヤーの構成を示す側面断面図である。
【符号の説明】
【００３５】
１  ヘアドライヤー
２  吸入口
３  吹出口
４  本体ケース
５  把持部
６  操作つまみ
７  吐出ノズル
８  モータ
９  ファン
１０  ヒータ
１１  マイナスイオン発生器
１２  グリル
２０，２０  大径の曲面壁
２１，２１  小径の曲面壁
２２，２２  凹設部
２５  吐風口
３０，３０  仕切壁
３１、３１，３１、３１  整流翼
３２，３２  整風板
４０、４０、４０，４０、４０、４０  マイナスイオン吐出口
４１  放電電極
【図１】
2009195264.tif 000003
【図２】
2009195264.tif 000004
【図３】
2009195264.tif 000005
【図４】
2009195264.tif 000006
【図５】
2009195264.tif 000007
【図６】
2009195264.tif 000008